(57)【要約】      （修正有）【課題】撮影機能を備えたニキビ吸引装置を提供する。【解決手段】メインコントロールモジュールは撮影モジュール２、吸引モジュールに電気的に接続し、撮影モジュール２はメインコントロールモジュールにより制御し、吸引モジュールの吸引区域画面を撮影するカメラレンズ２１を備え、吸引モジュールは皮膚表面のニキビに対応する吸引ノズル３１、吸引ノズル３１と連通してメインコントロールモジュールにより制御され、ニキビを吸引するエアーポンプを備え、吸引モジュール吸引の過程に撮影モジュール２を対応させることで吸引区域の画面を観測し、画面が表示するニキビの深さ位置に基づき吸引力を調整し、患部を直接観察することによりニキビ吸引及び残滓処理不十分を回避し、より正確かつ確実にニキビを除去し、吸引力過大による皮膚のダメージを防止し、ニキビ除去の効率及び処理率を高めることができる。【選択図】図２
0003223406.tif 000002
【実用新案登録請求の範囲】
【請求項１】
撮影機能を備えたニキビ吸引装置であって、
メインコントロールモジュール、撮影モジュール及び吸引モジュールを備え、
該メインコントロールモジュールは、撮影モジュール及び吸引モジュールに電気的に接続し、
該撮影モジュールは、メインコントロールモジュールに制御され、吸引モジュールの吸引区域画面を撮影するカメラレンズを備え、
該吸引モジュールは、皮膚表面のニキビ上に位置を合わせる吸引ノズル、及び吸引ノズルと連通し、かつメインコントロールモジュールに制御されてニキビを吸引するエアーポンプを備えることを特徴とする撮影機能を備えたニキビ吸引装置。
【請求項２】
前記メインコントロールモジュールには、撮影モジュールが撮影した吸引区域画面を伝送する複数の伝送ポートを設置し、かつ前記カメラレンズ片側には、メインコントロールモジュールと電気的接続を形成するイメージセンサーを電気的に接続し、
前記吸引モジュールのエアーポンプには、メインコントロールモジュールと電気的接続を形成する駆動モーターを設置したことを特徴とする請求項１に記載の撮影機能を備えたニキビ吸引装置。
【請求項３】
前記吸引ノズルは、ベース及びベース上に結合するカバーを備え、
該ベース及びカバー内部には、撮影モジュールを収容する収容空間を形成し、該収容空間のカバー片側位置には、前記カメラレンズが焦点を合わせて撮影作業を行うための吸引口を設置し、前記エアーポンプ片側には、カバーまで連通して吸引口位置で吸引力を生じることができる吸引管を設置し、
さらに吸引ノズルのベース片側には、カバーを定位する結合部材を突出状に設置し、結合部材には、収容空間内に連通し、かつ前記カメラレンズが入れられるホールを開設し、さらに該結合部材片側面には、該ホール周囲位置に凹部を設置して該凹部中には、着脱可能な透明レンズを取り付け、結合部材外側面にはＯリングを嵌めて設置し、該結合部材片側面上には、防塵ネットを設置したことを特徴とする請求項１に記載の撮影機能を備えたニキビ吸引装置。
【考案の詳細な説明】
【技術分野】
【０００１】
本考案は、撮影機能を備えたニキビ吸引装置に関し、特に吸引モジュールの吸引過程において、撮影モジュールを対応させることで吸引区域の画面を観測でき、画面が表示するニキビの深さ位置に基づき吸引力を調整でき、患部が見えないことによるニキビ吸引及び残滓処理不十分を回避でき、しかもより正確かつ確実にニキビを除去でき、吸引力過大による皮膚へのダメージを防止できる撮影機能を備えたニキビ吸引装置に関する。
【背景技術】
【０００２】
一般に黒ニキビは機械を用いた吸引法により除去するが、機械吸引法は電動吸引機により皮膚中の黒ニキビを除去する。
該電動吸引機は、本体及び本体頂部に接続する吸引ノズルを備え、該本体内部には、真空エアーポンプ、換気チューブ、電池、コントロール回路板及びＬＥＤ回路板を設置する。
真空エアーポンプは、換気チューブを通して、吸引ノズルと接続し、該コントロール回路板はそれぞれ真空エアーポンプ、電池及びＬＥＤ回路板と電気的に接続する。
該ＬＥＤ回路板上には、多数のＬＥＤランプを設置し、さらに本体上には、少なくとも１個の凹槽を設置し、ＬＥＤランプを凹槽内に取り付ける。
この種の電動吸引機は、吸引ノズルを毛穴の開口位置に密着させ、コントロール回路板により真空エアーポンプを起動し、真空エアーポンプにより換気チューブに吸引動作を実行させ、こうして毛穴内の黒ニキビを吸い出し、お肌をきれいにする効果を達成する。 
【０００３】
しかし、上述の電動吸引機は、一定程度には黒ニキビを除去することはできるが、依然として使用上の不便が存在する。
それは、毛穴をきれいにする時、毛穴の状況が使用者にはよく見えないため、皮脂汚れがまだ完全に除去できていないのに使用を停止し、クレンジングが不十分になってしまうというものである。
この他、皮脂汚れがすでに完全に取り除かれた後に継続使用する恐れもあり、それでは過剰な負担により肌にダメージを与えてしまう。 
【先行技術文献】
【特許文献】
【０００４】
【特許文献１】特表２０１６−５３７１１８号公報
【考案の概要】
【考案が解決しようとする課題】
【０００５】
本考案の第一の目的は、ニキビ吸引装置のメインコントロールモジュールは、撮影モジュール及び吸引モジュールに電気的に接続し、かつ該撮影モジュールは、メインコントロールモジュールが制御し、吸引モジュールの吸引区域画面を撮影するカメラレンズを備え、該吸引モジュールは、皮膚表面のニキビに合わせる吸引ノズル、及び吸引ノズルと連通し、かつメインコントロールモジュールにより制御され、ニキビを吸引するエアーポンプを備え、吸引モジュール吸引の過程において、撮影モジュールを対応させることで吸引区域の画面を観測でき、画面が表示するニキビの深さ位置に基づき吸引力を調整でき、患部が見えないことによるニキビ吸引及び残滓処理不十分を回避でき、しかも皮膚上のニキビが吸い出される過程を観察できるため、より正確かつ確実にニキビを除去でき、吸引力過大による皮膚のダメージを防止でき、こうしてニキビ除去の効率及び処理率を高めることができる撮影機能を備えたニキビ吸引装置を提供することである。
【０００６】
本考案の第二の目的は、該撮影モジュールは、吸引モジュールの収容空間内部に設置され、かつ該撮影モジュールのカメラレンズは、吸引モジュールの吸引口位置にフォーカスし、皮膚表面の状況を直接かつ正確に観察でき、こうして撮影角度が招く視覚的なズレを低下させ、ニキビ吸引の過程を正確に理解でき、しかも撮影モジュールは収容空間内部に設置されるため、空間を有効に利用でき、全体体積の大幅拡大を不要とできる撮影機能を備えたニキビ吸引装置を提供することである。
【０００７】
本考案の第三の目的は、ベースの結合部材片側には、着脱可能な透明レンズを設置し、透明レンズが透明であるため、撮影モジュールのカメラレンズの撮影作業に影響せず、しかも透明レンズを利用し結合部材のホールを遮蔽するため、カメラレンズへの汚物の付着を回避でき、しかも透明レンズは取り外し／取り付け可能なため、透明レンズが汚れてしまった時には、取り外して洗浄し、洗浄の完了を待って再び取り付けることができ、手軽に洗浄作業が行えるという効果を備える撮影機能を備えたニキビ吸引装置を提供することである。
【課題を解決するための手段】
【０００８】
本考案は、撮影機能を備えたニキビ吸引装置を提供する。
【考案の効果】
【０００９】
本考案による撮影機能を備えたニキビ吸引装置は、吸引モジュールの吸引過程において、撮影モジュールを対応させることで吸引区域の画面を観測でき、画面が表示するニキビの深さ位置に基づき吸引力を調整でき、盲目的なニキビ吸引及び残滓処理不十分を回避でき、しかもより正確かつ確実にニキビを除去でき、吸引力過大による皮膚へのダメージを防止できる。
【図面の簡単な説明】
【００１０】
【図１】本考案の斜視図である。
【図２】本考案による撮影モジュールと吸引ノズルの立体分解図である。
【図３】本考案のブロックチャートである。
【図４】本考案の別種の実施例のブロックチャートである。
【考案を実施するための形態】
【実施例】
【００１１】
図１、２、３は、本考案の立体外観図、撮影モジュールと吸引ノズルの立体分解図及びブロックチャートである。
【００１２】
図に示すように、本考案は、メインコントロールモジュール１、撮影モジュール２及び吸引モジュール３を備える。
【００１３】
該メインコントロールモジュール１は、撮影モジュール２及び吸引モジュール３に電気的に接続し、撮影モジュール２及び吸引モジュール３をコントロールする。該メインコントロールモジュール１は、マルチメディア画像処理チップで、具体的なモデル番号は、傑理ＡＣ１８３８ＤＧ３４０１チップで、ＭＩＰＩインターフェースと撮影モジュール２を接続し、画像データを採集する。
【００１４】
上記撮影モジュール２は、カメラレンズ２１を備え、かつ該カメラレンズ２１片側には、メインコントロールモジュール１と電気的接続を形成するイメージセンサー２２を電気的に接続する。
【００１５】
上記吸引モジュール３は、吸引ノズル３１及び吸引ノズル３１と連通するエアーポンプ３２を備え、該吸引ノズル３１は、ベース３１１及びベース３１１上に結合するカバー３１２を備え、吸引ノズル３１のベース３１１及びカバー３１２内部には、撮影モジュール２を収容する収容空間３０を形成する。
【００１６】
しかも、収容空間３０のカバー３１２片側位置には、カメラレンズ２１が焦点を合わせ、撮影作業を行うための吸引口３０１を設置し、該エアーポンプ３２片側には、カバー３１２１まで連通し、吸引口３０１位置から吸引力を生じることができる吸引管３２１を設置する。
【００１７】
上述の撮影モジュール２のカメラレンズ２１は、２５度水平視野を備える光学カメラレンズを採用し、かつ焦点距離は１５ｍｍで、該撮影モジュール２のイメージセンサー２２は市販されているＶＧＡレベル図形要素ＣＭＯＳ部品を採用し、多数倍率拡大機能を備え、吸引ノズル３１内部の中央位置に取り付けて、皮膚表面の状況を観察し、正確にニキビを除去でき、同時に皮膚上のニキビが吸い出される過程を観察することもできるため、患部を直接観察できないことによるニキビ吸引と残滓処理の不完全さを防止することができる。
【００１８】
さらに、上述の吸引ノズル３１のベース３１１片側には、カバー３１２を定位する結合部材３１１１を突出状に設置し、結合部材３１１１上には、収容空間３０内に連通してカメラレンズ２１が入れられるホール３１１０を開設し、結合部材３１１１片側面には、ホール３１１０周囲位置に凹槽３１１２を設置する。
【００１９】
該ベース３１１の結合部材３１１１外側面には、密封及び固定作用を備えるＯリング３３を嵌めると共に、該結合部材３１１１片側面の凹槽３１１２中には、取り外し／取り付け可能で、かつカメラレンズ２１位置への汚れの付着を防止する透明レンズ３４を設置し、該結合部材３１１１片側面上には、機器内部へのホコリや雑質の進入を防止できる防塵ネット３５を設置する。
【００２０】
さらに、該カバー３１２の形状は、凸台形、円柱形、或いは方形である。
【００２１】
また、上述の吸引モジュール３のエアーポンプ３２には、メインコントロールモジュール１と電気的接続を形成する駆動モーター３２２を設置する。
【００２２】
該メインコントロールモジュール１は、異なるデューティサイクルのＰＷＭ（パルス幅変調）信号を駆動モーター３２２に伝送し、これにより駆動モーター３２２は、エアーポンプ３２の吸引力を調整し、こうして吸引ノズル３１の吸引力の大きさを制御できる。
【００２３】
該駆動モーター３２２は、５Ｖ給電のモーターで、最大回転毎分は６５００ＲＰＭである。
【００２４】
上述のメインコントロールモジュール１はさらに、無線通信モジュール４を電気的に接続し、無線通信モジュール４を通して、吸引区域の画面を携帯電話、タブレットＰＣ或いはデスクトップＰＣ等電子装置７のモニターに無線伝送でき、使用者はニキビ除去の過程を即時に観察でき、かつ、該無線通信モジュール４は、ブルートゥース（登録商標）モジュール、ＷｉＦｉ（登録商標）モジュール或いは２，４Ｇモジュールの内の少なくとも１種で、該ブルートゥース（登録商標）モジュール、ＷｉＦｉ（登録商標）モジュール及び２．４Ｇモジュールは常用される通信方式であり、実際の生産ニーズに基づき、ブルートゥース（登録商標）モジュール、ＷｉＦｉ（登録商標）モジュール、２．４Ｇモジュール中の少なくとも１種を無線通信モジュール４とすることができる。
【００２５】
無線通信モジュール４がＷｉＦｉ（登録商標）モジュールなら、Ｗｉ−Ｆｉ（登録商標）プロトコルＡＰモードを採用し、携帯電話／タブレットＰＣを支援して、Ｗｉ−Ｆｉと通じて、本考案の装置と接続する。
【００２６】
支援プロトコルは、２．４Ｇ／５Ｇ  ＩＥＥＥ８０２．１１  ａ／ｂ／ｇ／ｎ／ａｃを含むがこれに限定されず、市場で購入可能なモデル番号とすることができる。
【００２７】
本考案はさらに、図３〜４のフローチャートにも示すようにメインコントロールモジュール１、撮影モジュール２及びエアーポンプ３２と電気的接続を形成する電源モジュール５を備え、かつ該電源モジュール５は、メインコントロールモジュール１、撮影モジュール２及びエアーポンプ３２が必要な電源を供給する電池５１を備える。
【００２８】
電池５１片側には、電池５１の作動を管理する電池管理ユニット５２を電気的に接続し、該電池５１は市販されている１８６５０  ２０００ｍＡｈポリマー電池を採用し、充電電流は８００ｍＡで、伝送ポート１１を通して、電子装置７に充電でき、該電池管理ユニット５２のモデル番号は、ＩＰ５３０６で、市場で購入可能である。
【００２９】
本考案は、さらに外殼６を備え、該外殼６表面には、メインコントロールモジュール１と電気的接続を形成する少なくとも１個のインジケーター６１及びボタン６２を設置する。
【００３０】
インジケーター６１によりユーザーは機器の吸引力の大きさを即時に把握でき、該ボタン６２により使用者は吸引力を調整できる。
【００３１】
本考案の実際の使用時には、吸引モジュール３の吸引ノズル３１を皮膚に当て、ニキビ除去が必要な吸引区域に吸引口３０１を合わせる。
【００３２】
この時、該吸引モジュール３のエアーポンプ３２は負圧を生じ、吸引ノズル３１を対応させて皮膚上のニキビを吸引する。
【００３３】
吸引ノズル３１の吸引過程では、該撮影モジュール２のカメラレンズ２１はニキビ吸引区域の画面を撮影し、無線通信モジュール４を利用して、画面を電子装置７（携帯電話、タブレットＰＣ或いはデスクトップＰＣ等電子装置）のモニター（図示なし）に無線伝送する。
【００３４】
使用者はモニターに表示されるニキビの深さ位置を見て、外殼６上のボタン６２を用いてメインコントロールモジュール１を制御し、エアーポンプ３２のパワーを調整する。
【００３５】
こうして吸引ノズル３１の吸引力を調整し、患部を直接観察できることによりニキビ吸引及び残滓処理不十分を回避でき、しかも皮膚上のニキビが吸い出される過程を観察できるため、正確かつ確実にニキビを除去でき、吸引力過大による皮膚ダメージ（赤い腫れ）を防止でき、こうしてニキビ除去の効果を高めることができる。
【００３６】
本考案の別種の実施例のブロックチャートである図４に示すように、本考案の別種の実施例によるメインコントロールモジュール１は、無線通信モジュール４の使用を省略し、メインコントロールモジュール１上に複数の伝送ポート１１の構造設計を増設する。
【００３７】
また、複数の伝送ポート１１は、撮影モジュール２及び電子装置７にそれぞれ接続し、該メインコントロールモジュール１は、ＵＳＢ  Ｓｔｏｒａｇｅ  ＳＯＣチップを採用する。
【００３８】
その具体的な市販されているモデル番号は、Ｐｏｗｅｒ７  ＵＳ６８０８チップで、ＡＲＭ９２６アーキテクチャを採用し、最高主周波数は１９２ＭＨｚで、ＵＳＢ  ２．０高速通信、及びＵＳＢ  ＯＨＣＩ／ＥＨＣＩホストコントローラとトランシーバーを支援する。
【００３９】
該伝送ポート１１は、ＵＳＢ  ＡＦインターフェース或ＵＳＢ  ＴＹＰＥ−Ｃインターフェースで、同時に異なる携帯電話システムと互換でき、ＵＳＢ伝送線を通してデータの伝送作業を行うことができる。
【００４０】
ＵＳＢ伝送線の一端は、伝送ポート１１に接続し、ＵＳＢ伝送線の反対端は、携帯電話、タブレットＰＣ或いはデスクトップＰＣ等電子装置７上に接続され、データ交換と充電の二項の機能を実現し、こうして長時間の使用による電力不足の問題を克服することができる。
【００４１】
本考案は、以下の長所を備える。
（一）該吸引モジュール３の吸引過程では、撮影モジュール２を対応させることで吸引区域の画面を観測でき、画面が表示するニキビの深さ位置に基づき吸引モジュール３の吸引力を調整でき、盲目的なニキビ吸引及び残滓処理不十分を回避でき、しかも皮膚上のニキビが吸い出される過程を観察できるため、より正確かつ確実にニキビを除去でき、吸引力過大による皮膚のダメージを防止でき、こうしてニキビ除去の効率及び処理率を高めることができる。
（二）該撮影モジュール２は、吸引モジュール３の収容空間３０内部に設置され、しかも該撮影モジュール２のカメラレンズ２１は吸引モジュール３の吸引口３０１位置にフォーカスするため、皮膚表面の状況を直接かつ正確に観察でき、こうして撮影角度が招く視覚的なズレを低下させ、ニキビ吸引の過程を正確に理解でき、しかも撮影モジュール２を収容空間３０内部に設置するため、空間を有効に利用でき、大幅な全体体積の増加は不要である。
（三）該ベース３１１の結合部材３１１１片側には、着脱可能な透明レンズ３４を設置し、透明レンズ３４が透明であるため、撮影モジュール２のカメラレンズ２１の撮影作業に影響せず、しかも透明レンズ３４を利用して結合部材３１１１のホール３１１０を遮蔽するため、カメラレンズ２１への汚物の付着を回避でき、しかも透明レンズ３４は取り外し／取り付け可能なため、透明レンズ３４が汚れてしまった時には、取り外して洗浄し、洗浄の完了を待って再び取り付けることができ、手軽に洗浄作業が行えるという効果を備える。
【産業上の利用可能性】
【００４２】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００４３】
１  メインコントロールモジュール
１１  伝送ポート
２  撮影モジュール
２１  カメラレンズ
２２  イメージセンサー
３  吸引モジュール
３０  収容空間
３０１  吸引口
３１  吸引ノズル
３１１  ベース
３１１０  ホール
３１１１  結合部材
３１１２  凹槽
３１２  カバー
３２  エアーポンプ
３２１  吸引管
３２２  駆動モーター
３３  Ｏリング
３４  透明レンズ
３５  防塵ネット
４  無線通信モジュール
５  電源モジュール
５１  電池
５２  電池管理ユニット
６  外殼
６１  インジケーター
６２  ボタン
７  電子装置
【図１】
0003223406.tif 000003
【図２】
0003223406.tif 000004
【図３】
0003223406.tif 000005
【図４】
0003223406.tif 000006